(57)【特許請求の範囲】
【請求項１】
表示手段に対するタッチ操作を検知可能な検知手段と、
前記表示手段における特定の領域とは異なる位置に対するタッチ操作が行われても該タッチ操作を無効とするタッチ操作の制限状態において、前記特定の領域に対する所定のタッチ操作を検知すると、前記制限状態を解除し、前記特定の領域とは異なる位置に対するタッチ操作を受け付ける状態に遷移するように制御する制御手段と、
前記制限状態において、前記表示手段における前記特定の領域とは異なる位置に対するタッチ操作を検知した場合、前記特定の領域を示す表示を行うように制御する表示制御手段と、
前記表示手段に対するタッチ操作を検知していない時間を計時する計時手段を有し、
前記制御手段は、前記制限状態において前記特定の領域とは異なる位置に対するタッチ操作を検知した場合は前記計時手段をリセットしないように制御し、
前記制御手段は、前記特定の領域を示す表示を表示していない場合、前記計時手段により計時された時間が所定の時間に達すると消費電力を低減する状態に遷移するように制御し、前記特定の領域を示す表示を表示している場合、前記計時手段により計時された時間が前記所定の時間に達しても、前記所定の時間に達した際に前記消費電力を低減する状態に遷移しないように制御する、ことを特徴とする電子機器。
【請求項２】
前記制御手段は、前記制限状態において、前記特定の領域とは異なる位置に対するタッチ操作を検知しても、該位置に予め割り当てられている所定の処理を実行しないように制御する、ことを特徴とする請求項１に記載の電子機器。
【請求項３】
前記制御手段は、前記制限状態において、前記特定の領域とは異なる位置に対するタッチ操作を検知しても、前記特定の領域を示す表示を行う以外の処理を実行しないように制御する、ことを特徴とする請求項１に記載の電子機器。
【請求項４】
前記制御手段は、前記特定の領域を示す表示を表示している際に前記特定の領域に対するタッチ操作を検知した場合、前記計時手段をリセットするように制御する、ことを特徴とする請求項１に記載の電子機器。
【請求項５】
前記特定の領域を示す表示は、前記特定の領域を特定する情報と前記特定の領域に対する操作内容とを含む、ことを特徴とする請求項１から４のいずれか１項に記載の電子機器。
【請求項６】
前記特定の領域を示す表示は、前記特定の領域に対するタッチ操作を行うことを促すメッセージの表示を含む、ことを特徴とする請求項１から５のいずれか１項に記載の電子機器。
【請求項７】
前記特定の領域を示す表示は、前記特定の領域を強調する強調表示を含む、ことを特徴とする請求項１から６のいずれか１項に記載の電子機器。
【請求項８】
前記強調表示は、前記特定の領域の枠を強調する強調枠の表示、前記特定の領域の少なくとも一部に対する表示色もしくは輝度の変更、該一部に対するアニメーションの付加、又は該一部の点滅表示の少なくともいずれか、を含むことを特徴とする請求項７に記載の電子機器。
【請求項９】
前記強調表示は、前記特定の領域以外の領域の少なくとも一部に対する表示色もしくは輝度の変更、又は、前記特定の領域以外の領域における前記特定の領域への注目を促す表示の少なくともいずれか、を含むことを特徴とする請求項７に記載の電子機器。
【請求項１０】
前記表示制御手段は、前記制限状態において、前記特定の領域に特定の機能ボタンを表示する、ことを特徴とする請求項１から９のいずれか１項に記載の電子機器。
【請求項１１】
前記表示制御手段は、前記制限状態において、前記電子機器の有する設定項目の設定値を表示する、ことを特徴とする請求項１から１０のいずれか１項に記載の電子機器。
【請求項１２】
前記表示制御手段は、前記特定の領域とは異なる位置に対するタッチ操作を受け付ける状態に遷移した場合、前記電子機器の有する設定項目のそれぞれを、タッチ操作を受け付ける領域であることを示す境界線とともに表示する、ことを特徴とする請求項１から１１のいずれか１項に記載の電子機器。
【請求項１３】
前記表示制御手段は、前記特定の領域とは異なる位置に対するタッチ操作を受け付ける状態に遷移した場合、タッチ操作の可能な複数の機能ボタンを表示する、ことを特徴とする請求項１から１１のいずれか１項に記載の電子機器。
【請求項１４】
撮像手段を更に有し、
前記表示制御手段は、前記制限状態において、前記撮像手段に対して設定可能な撮影に関する設定項目の設定値を表示し、前記特定の領域とは異なる位置に対するタッチ操作を受け付ける状態に遷移した場合、前記制限状態において表示した前記撮影に関する設定項目を同一の配列で、前記制限状態とは異なる表示形態で表示する、ことを特徴とする請求項１から１３のいずれか１項に記載の電子機器。
【請求項１５】
撮像手段を更に有し、
前記制御手段は、撮影モードに移行すると前記制限状態に遷移するように制御する、ことを特徴とする請求項１から１３のいずれか１項に記載の電子機器。
【請求項１６】
前記制御手段は、前記電子機器の電源がオンになると前記制限状態に遷移するように制御する、ことを特徴とする請求項１から１４のいずれか１項に記載の電子機器。
【請求項１７】
表示手段と前記表示手段に対するタッチ操作を検知していない時間を計時する計時手段とを有する電子機器の制御方法であって、
検知手段が、前記表示手段に対するタッチ操作を検知可能な検知工程と、
制御手段が、前記表示手段における特定の領域とは異なる位置に対するタッチ操作が行われても該タッチ操作を無効とするタッチ操作の制限状態において、前記特定の領域に対する所定のタッチ操作を検知すると、前記制限状態を解除し、前記特定の領域とは異なる位置に対するタッチ操作を受け付ける状態に遷移するように制御する制御工程と、
表示制御手段が、前記制限状態において、前記表示手段における前記特定の領域とは異なる位置に対するタッチ操作を検知した場合、前記特定の領域を示す表示を行うように制御する表示制御工程と、
前記制御工程では、前記制限状態において前記特定の領域とは異なる位置に対するタッチ操作を検知した場合は前記計時手段により計時された時間をリセットしないように制御し、
前記制御工程では、前記特定の領域を示す表示を表示していない場合、前記計時手段により計時された時間が所定の時間に達すると消費電力を低減する状態に遷移するように制御し、前記特定の領域を示す表示を表示している場合、前記計時手段により計時された時間が前記所定の時間に達しても、前記所定の時間に達した際に前記消費電力を低減する状態に遷移しないように制御する、ことを特徴とする電子機器の制御方法。
【請求項１８】
コンピュータを、請求項１から１６のいずれか１項に記載された電子機器の各手段として機能させるためのプログラム。
【請求項１９】
コンピュータを、請求項１から１６のいずれか１項に記載された電子機器の各手段として機能させるためのプログラムを格納したコンピュータが読み取り可能な記録媒体。
【発明の詳細な説明】
【技術分野】
【０００１】
本発明は、電子機器、その制御方法、プログラム及び記録媒体に関する。
【背景技術】
【０００２】
従来、ユーザのタッチ操作を受け付けるタッチパネルにおいて、ユーザが意図と異なる位置を誤ってタッチすることによる誤操作を防止するため、タッチ操作を有効にしたタッチ有効領域ではない領域へのタッチを制限する技術が知られている（特許文献１）。
【０００３】
また、特許文献２には、タッチ操作の制限されたタッチ制限領域をタッチするとタッチ操作を制限している領域である旨を表示する技術が開示されている。特許文献２に係る技術によれば、ユーザは、タッチした領域がタッチ制限領域であることを容易に確認することができる。
【先行技術文献】
【特許文献】
【０００４】
【特許文献１】特開２０１３−２００８４１号公報
【特許文献２】特開２０１４−２３２３４１号公報
【発明の概要】
【発明が解決しようとする課題】
【０００５】
しかしながら、特許文献１に開示された技術では、タッチ有効領域以外の領域へのタッチの制限によりタッチ操作が制限されていることを理解することができるものの、タッチ有効領域があることに気付かないという課題がある。また、特許文献２に開示された技術においても、タッチ制限領域をタッチした際にタッチ操作が制限された領域をタッチしたことを理解することができるものの、タッチ有効領域があることに気付かないという、同様の課題がある。
【０００６】
そこで、本発明の目的は、タッチ操作を制限している画面で、タッチ操作を受け付ける特定の領域以外の位置にタッチされた場合に、タッチ操作を受け付ける特定の領域に気付かせることが可能な電子機器、その制御方法、プログラム及び記録媒体を提供することである。
【課題を解決するための手段】
【０００７】
この課題を解決するため、例えば本発明の電子機器は以下の構成を備える。すなわち、表示手段に対するタッチ操作を検知可能な検知手段と、表示手段における特定の領域とは異なる位置に対するタッチ操作が行われても該タッチ操作を無効とするタッチ操作の制限状態において、特定の領域に対する所定のタッチ操作を検知すると、制限状態を解除し、特定の領域とは異なる位置に対するタッチ操作を受け付ける状態に遷移するように制御する制御手段と、制限状態において、表示手段における特定の領域とは異なる位置に対するタッチ操作を検知した場合、特定の領域を示す表示を行うように制御する表示制御手段と、表示手段に対するタッチ操作を検知していない時間を計時する計時手段を有し、制御手段は、制限状態において特定の領域とは異なる位置に対するタッチ操作を検知した場合は計時手段をリセットしないように制御し、制御手段は、特定の領域を示す表示を表示していない場合、計時手段により計時された時間が所定の時間に達すると消費電力を低減する状態に遷移するように制御し、特定の領域を示す表示を表示している場合、計時手段により計時された時間が所定の時間に達しても、所定の時間に達した際に消費電力を低減する状態に遷移しないように制御する、ことを特徴とする。
【発明の効果】
【０００８】
本発明によれば、タッチ操作を制限している画面で、タッチ操作を受け付ける特定の領域以外の位置にタッチされた場合に、タッチ操作を受け付ける特定の領域に気付かせることができる。
【図面の簡単な説明】
【０００９】
【図１】本実施形態に係るデジタルカメラの外観構成の一例を示す図である。
【図２】本実施形態に係るデジタルカメラの内部構成の一例を示す図である。
【図３】本実施形態において、撮影待機画面を開始し、終了するまでの動作手順の一例を示すフローチャートである。
【図４】本実施形態において、クイック設定画面を開始し、終了するまでの動作手順の一例を示すフローチャートである。
【図５】本実施形態による、撮影待機画面の一例（ａ）、撮影待機画面でタッチ有効領域に気付かせる表示の一例（ｂ）、クイック設定画面の一例（ｃ）を示す図である。
【図６】本実施形態による、スマートフォン等におけるロック状態を解除する例を示す図である。
【発明を実施するための形態】
【００１０】
以下、図面を参照して本発明の好適な実施形態を説明する。
【００１１】
（デジタルカメラの構成）
図１（ａ）、（ｂ）に本発明の電子機器の一例としてのデジタルカメラの外観図を示す。図１（ａ）はデジタルカメラ１００の前面斜視図であり、図１（ｂ）はデジタルカメラ１００の背面斜視図である。図１において、表示部２８は例えばＬＣＤ又は有機ＥＬで構成された表示パネルを含み、画像や各種情報を表示する、カメラ背面に設けられた表示部である。ファインダー外表示部４３は、カメラ上面に設けられた表示部であり、シャッター速度や絞りをはじめとするカメラの様々な設定値を表示する。シャッターボタン６１はユーザが撮影指示を行うための操作部である。モード切替スイッチ６０は各種モードを切り替えるための操作部である。端子カバー４０は外部機器とデジタルカメラ１００とを接続する接続ケーブル等のコネクタ（不図示）を保護するカバーである。メイン電子ダイヤル７１は操作部７０に含まれる回転操作部材であり、ユーザがこのメイン電子ダイヤル７１を回すことで、シャッター速度や絞りなどの設定値の変更等を行うことができる。電源スイッチ７２はデジタルカメラ１００の電源のＯＮ及びＯＦＦを切り替える操作部材である。サブ電子ダイヤル７３は操作部７０に含まれる回転操作部材であり、選択枠の移動や画像送りなどの操作を行うことができる。十字キー７４は操作部７０に含まれ、上、下、左、右部分をそれぞれ押し込み可能な十字キー（４方向キー）である。十字キー７４を押下することにより、カーソル等に対して十字キー７４を押した部分に応じた操作が可能である。ＳＥＴボタン７５は操作部７０に含まれる押しボタンであり、主に選択項目の決定などに用いられる。ＬＶボタン７６は操作部７０に含まれ、メニューボタンにおいてライブビュー（以下、ＬＶ）のＯＮとＯＦＦを切り替える操作ボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ、及び拡大モード中の拡大率の変更を行うための操作ボタンである。再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるための操作ボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。クイックリターンミラー１２は、システム制御部５０からの指示に応じて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納するスロットの蓋である。グリップ部９０は、ユーザがデジタルカメラ１００を構えた際に右手で握りやすい形状とした保持部である。
【００１２】
図２は、本実施形態によるデジタルカメラ１００の構成例を示すブロック図である。
【００１３】
レンズユニット１５０は、撮影レンズを搭載するレンズユニットであり、デジタルカメラ１００に交換可能に取り付けられる。
【００１４】
レンズ１０３は通常、複数枚のレンズから構成されるが、ここでは簡略して一枚のレンズのみで示している。通信端子６はレンズユニット１５０がデジタルカメラ１００側と通信する為の通信端子であり、通信端子１０はデジタルカメラ１００がレンズユニット１５０側と通信する為の通信端子である。内部のレンズシステム制御回路４は、通信端子６，１０を介してシステム制御部５０と通信すると共に、絞り駆動回路２を介して絞り１を制御し、ＡＦ駆動回路３を介してレンズ１０３の位置を変位させることで焦点を合わせる。
【００１５】
ＡＥセンサー１７は、レンズユニット１５０を通した被写体の輝度を測光する。焦点検出部１１は、システム制御部５０にデフォーカス量情報を出力する。システム制御部５０は入力されたデフォーカス量情報に基づいてレンズユニット１５０を制御し、位相差ＡＦを行う。
【００１６】
クイックリターンミラー１２（以下、ミラー１２）は、露光、ライブビュー撮影、動画撮影の際にアップダウンされる。ミラー１２は、レンズ１０３から入射した光束を接眼ファインダー１６側と撮像部２２側とに切替えるためのミラーである。ミラー１２は通常時は接眼ファインダー１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１７】
ペンタプリズム１４は、フォーカシングスクリーン１３の光を接眼ファインダー１６に導き、ユーザが接眼ファインダー１６を観察することにより、レンズユニット１５０を通して得た被写体の光学像の焦点や構図を確認可能にする。
【００１８】
シャッター２１は、システム制御部５０の制御により撮像部２２の露光時間を自由に制御できるフォーカルプレーンシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１９】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４は、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２０】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２１】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。ファインダー外表示部４３には、ファインダー外表示部駆動回路４４を介して、シャッター速度や絞りをはじめとするカメラの様々な設定値が表示される。
【００２２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
システム制御部５０は、デジタルカメラ１００全体を制御する。前述した不揮発性メモリ５６に記録されたプログラムを実行することで、後述する本実施形態の各処理を実現する。５２はシステムメモリであり、例えばＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１９、表示部２８等を制御することにより表示制御も行う。
【００２４】
システムタイマー５３は各種制御に用いる時間や、内蔵された時計の時間を計測する計時部である。モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０により、これらのモードのいずれかに直接切り替えられる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００２５】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
電源制御部８０は、電池検出回路、ＤＣ−ＤＣコンバータ、通電するブロックを切り替えるスイッチ回路等により構成され、電池の装着の有無、電池の種類、電池残量を検出する。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２８】
通信部５４は、無線または有線ケーブルによって外部機器と接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２９】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００３０】
操作部７０は、ユーザからの操作を受け付ける入力部としての各種操作部材を含む。上述したように、操作部７０には、少なくとも図１を参照して説明したシャッターボタン６１、メイン電子ダイヤル７１等の操作部材が含まれる。
【００３１】
また、操作部７０は、表示部２８に対する接触を検知可能なタッチパネル７０ａを含む。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、ユーザが表示部２８上に表示された画面を直接的に操作可能であるかのようなＧＵＩ（グラフィカルユーザーインターフェース）を構成することができる。例えば、表示部２８に表示される種々の機能アイコンを選択操作することなどにより、場面ごとに適宜機能が予め割り当てられ、各種機能ボタンとしても作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３２】
システム制御部５０は、タッチパネルへの以下の操作あるいは状態を検出することができる。
・タッチパネル７０ａにタッチしていなかった指やペンが新たにタッチパネルにタッチしたこと。すなわち、タッチの開始（以下、タッチダウン（Touch-Down）と称する）。
・タッチパネル７０ａを指やペンでタッチしている状態であること（以下、タッチオン（Touch-On）と称する）。
・タッチパネル７０ａを指やペンでタッチしたまま移動していること（以下、タッチムーブ（Touch-Move）と称する）。
・タッチパネル７０ａへタッチしていた指やペンを離したこと。すなわち、タッチの終了（以下、タッチアップ（Touch-Up）と称する）。
・タッチパネル７０ａに何もタッチしていない状態（以下、タッチオフ（Touch-Off）と称する）。
【００３３】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３４】
これらの操作・状態や、タッチパネル７０ａ上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル７０ａ上の垂直成分・水平成分毎に判定できる。またタッチパネル７０ａ上をタッチダウンから一定のタッチムーブを経てタッチアップをしたとき、システム制御部５０は、ストロークを描いたことと判定する。素早くストロークを描く操作をフリックと呼ぶ。フリックは、タッチパネル７０ａ上に指をタッチしたままある程度の距離だけ素早く動かして、そのまま離すといった操作であり、言い換えればタッチパネル７０ａ上を指ではじくように素早くなぞる操作である。システム制御部５０は、所定距離以上を、所定速度以上でタッチムーブしたことを検出し、更にそのままタッチアップを検出するとフリックが行なわれたと判定できる。なお、システム制御部５０は、所定距離以上をタッチムーブしたことを検出した状態ではドラッグが行なわれたと判定することができる。タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３５】
（撮影待機画面処理に係る一連の動作）
以下、図３、図５（ａ）及び図５（ｂ）を参照して、本実施形態における撮影待機画面処理に係る一連の動作について説明する。図３は本実施形態における撮影待機画面処理のフローチャートを示し、図５（ａ）及び図５（ｂ）は、本実施形態における撮影待機画面の一例を示している。撮影待機画面処理は、不揮発性メモリ５６に記録されたプログラムをシステムメモリ５２に展開してシステム制御部５０が実行することで実現する。撮影待機画面は、撮影待機状態で表示される画面であり、デジタルカメラ１００の電源をオンとすると最初に表示される画面である。また、再生モードや、メニュー画面など、撮影待機状態とは別の状態から撮影待機状態に遷移した場合に表示される画面でもある。撮影待機状態では、ユーザが光学ファインダーで被写体を確認して表示する状態である（すなわち、ライブビュー撮影モードではない撮影モードである）。撮影待機画面を表示した状態では、ＳＷ２があった場合には、撮影待機画面に表示された設定内容で上述の撮影処理が行われるが、以下のフローチャートでは撮影処理の説明は省略する。
【００３６】
Ｓ３０１では、システム制御部５０は、表示部２８に撮影待機画面を表示する。図５（ａ）は本実施形態における撮影待機画面の一例である。Ｑボタン５０１の領域は、システム制御部５０がユーザによるタッチ操作を有効な操作として受け付けるタッチ有効領域であり、Ｑボタン５０１以外の５０２の領域はユーザによるタッチ操作を無効として受け付けないタッチ制限領域である。撮影待機画面には、デジタルカメラ１００の複数の設定項目について、現在の設定内容（設定値）が一覧表示されている。システム制御部５０は、Ｑボタン５０１以外に対するタッチ操作が無効であるため、表示している各種設定項目の設定値部分（例えば、露出補正の設定状態を示す露出補正項目５０２の位置）にタッチされても、なにも機能を実行しない。また、システム制御部５０は、オートディスプレイオフ機能を実現するための、無操作の時間を計測するタイマーを、Ｑボタン５０１以外に対するタッチ操作ではストップもリセットもしない。なお、オートディスプレイオフ機能では、無操作の時間が第１の時間以上継続したことに応じて表示部２８の輝度を暗くする。また、システム制御部５０は、オートパワーオフ機能のための、無操作の時間を計測するタイマーを、Ｑボタン５０１以外に対するタッチ操作ではストップもリセットもしない。ここで、オートパワーオフ機能では、無操作の時間が第１の時間よりも長い第２の時間以上継続したことに応じて自動的にデジタルカメラ１００の電源をオフにする、あるいはスリープ状態とする。このように、システム制御部５０がＱボタン以外の位置に対するタッチ操作を無効とすることにより、ユーザが意図せず表示部２８にタッチし、ユーザの意図に反して設定が変わってしまったり、その他の機能が実行されることを防止することができる。同様に、オートディスプレイオフ、オートパワーオフが実行されるまでの時間が延びることによって無駄に電力を消費してしまうことを防止することができる。ユーザが意図しないタッチとしては、例えば、デジタルカメラ１００を持ち上げようとして掴んだ際に、意図せず表示部２８にタッチしてしまう場合がある。また、デジタルカメラ１００にストラップを装着して首からぶら下げている際に、表示部２８がユーザの腹部に接近してタッチ操作と検出されてしまうことなどがある。システム制御部５０は、Ｑボタン５０１に対するタッチ操作（例えば、Ｑボタン５０１にタッチダウンしてボタンの外に移動せずにタッチアップし、かつタッチが所定面積未満）があった場合は、タッチの制限状態を解除してクイック設定画面に遷移する。またシステム制御部５０は、クイック設定画面では、Ｑボタン５０１以外の領域に対するタッチ操作も有効にする。
【００３７】
Ｓ３０２では、システム制御部５０は、システムメモリ５２に記憶されているオートパワーオフまでの時間を取得する。
【００３８】
Ｓ３０３では、システム制御部５０は、オートパワーオフまでの時間経過したかどうかを判定する。システム制御部５０は、例えば無操作の時間を計測するタイマーが第２の時間以上継続している場合、オートパワーオフまでの時間を経過したと判定する。オートパワーオフまでの時間を経過していないと判定した場合はＳ３０４に進む。一方、経過したと判定した場合は、デジタルカメラ１００の電源をオフし、撮影待機画面の処理を終了する。なお、詳細は省略するが、オートディスプレイオフも概ね同様である。すなわち、オートディスプレイオフまでの時間（第１の時間）が経過したか否かを判定し、経過していない場合はＳ３０４に進み、経過していた場合は、電源はオフとすることなく、表示部２８の表示輝度を落とし、消費電力を低減する。表示部２８が液晶表示装置である場合はバックライトの輝度を落とし、有機ＥＬディスプレイなどの自己発光ディスプレイである場合は、自己発光の発光輝度を落とす。上述したように、オートディスプレイオフまでの時間はオートパワーオフまでの時間よりも短いため、システム制御部５０は、オートディスプレイオフによって輝度を下げた後に、オートパワーオフを実行する。
【００３９】
Ｓ３０４では、システム制御部５０は、表示部２８にタッチ操作が行われたかどうかを判定する。システム制御部５０は、例えば表示部２８に対する、タッチダウンしてその位置が移動せずにタッチアップする操作を検出したかを判定する。タッチ操作が行われたと判定した場合はＳ３０５に進む。一方、タッチ操作が行われたと判定できなかった場合は、Ｓ３０９に進む。
【００４０】
Ｓ３０５では、システム制御部５０は、検出したタッチ位置がタッチ有効領域（すなわちＱボタン５０１の表示領域内）であるかどうかを判定する。Ｑボタン５０１の表示領域内以外の位置（すなわち、タッチ無効となっている領域）にタッチ操作が行われたと判定した場合はＳ３０６に進む。一方、Ｑボタン５０１の表示領域内にタッチ操作が行われたと判定した場合（例えば、Ｑボタン５０１の表示領域内にタッチダウンされ、Ｑボタン５０１の表示領域内からムーブアウトせずにタッチアップした場合）は、Ｓ３１１に進む。
【００４１】
Ｓ３０６では、システム制御部５０は、検出したタッチ面積が一定以上の大きさかどうかを判定する。検出したタッチ操作の面積が一定以上の大きさであると判定した場合は、タッチ操作を受け付けず、Ｓ３０９に進む。これは、検出したタッチ操作が指では無く、ファインダーを覗くために顔全体がタッチした、あるいは、ストラップを装着して首からぶら下げた場合に腹部が広くタッチしたなどの、ユーザが意図したタッチ操作では無い可能性が高いためである。一方、検出したタッチ操作の面積が一定以上の大きさでないと判定した場合は、タッチ操作を受け付けて、Ｓ３０７に進む。
【００４２】
Ｓ３０７では、システム制御部５０は、表示部２８にＱボタン５０１の表示領域内をタッチするようガイダンスを表示する。図５（ｂ）に本実施形態におけるガイダンスを表示した場合の一例を示す。撮影待機画面おいて、Ｑボタン５０１の表示領域内以外の位置、図示の例ではホワイトバランスの設定項目５０３の位置に対するタッチ（タッチダウン）を検出したため、ガイダンス５１０に「Ｑボタンをタッチして下さい」というメッセージを表示する。ガイダンス５１０は、例えば、タッチ操作を受け付ける領域を特定する情報（Ｑボタンを示す文字やアイコン）と当該領域に対する操作内容（例えばタッチを示す文字やアイコン）との組み合わせで構成されてもよい。また、Ｑボタン５０１の位置を示すガイドとして、Ｑボタン５０１の周辺に強調枠５１２を表示する。システム制御部５０は、ガイダンス５１０と強調枠５１２を、これらを表示する要因となったタッチが離された（タッチアップされた）場合、あるいは表示開始またはタッチアップされてから数秒程度経過した場合に、自動的に非表示とするものとする。なお、ガイダンス５１０と強調枠５１２は両方表示せず、いずれか１方を表示するものとしてもよい。また、Ｑボタン５０１の位置を示すガイドとしては、強調枠５１２の表示の他に、Ｑボタン５０１の表示色を変える、点滅表示させる、拡大縮小を繰り返したり左右や上下に振動したりするアニメーション表示を行うなど、他の表現でもよい。更に、Ｑボタン５０１の表示を変更する以外に、Ｑボタン５０１以外の輝度や色を変化させる（例えば制限領域を暗い色にする）表示や、Ｑボタン５０１領域の周辺にＱボタン５０１への注目を促す表示（例えば矢印のような図形）を付加してもよい。
【００４３】
Ｓ３０８では、システム制御部５０は、タッチ操作されていてもオートパワーオフまでの時間、及びオートディスプレイオフまでの時間をリセットしない。これは、ガイダンス５１０と強調枠５１２を表示する要因となったタッチは、ユーザが意識的に行った操作ではない可能性があるためである。このようにオートパワーオフ及びオートディスプレイオフまでの時間をリセットしないので、電力の無駄な消費を抑止することができる。なお、ガイダンス５１０と強調枠５１２の内容をユーザに確実に理解させ、その上でユーザがＱボタン５０１にタッチして機能を実行できるようにするため、ガイダンス５１０と強調枠５１２の表示中にオートパワーオフ又はオートディスプレイオフまでの無操作時間に達したとしても、ガイダンス５１０と強調枠５１２の表示が終了するまではオートパワーオフ又はオートディスプレイオフをしないようにするとなお良い。例えば、無操作時間が１分に達するとオートパワーオフすると設定していた場合、直前に行われた操作Ａからの無操作時間が５９秒に達した時点でＱボタン５０１以外の位置がタッチされたものとする。そして、ガイダンス５１０と強調枠５１２を、ガイダンス５１０と強調枠５１２の表示開始から５秒表示するものとする。この場合、Ｑボタン５０１のタッチを含む有効な操作がさらに行われなかった場合、操作Ａから６４秒後にガイダンス５１０と強調枠５１２が非表示になるとともに、オートパワーオフが実行されて電源がオフとなる。一方、操作Ａから６０秒が経過していても、ガイダンス５１０と強調枠５１２の表示開始から５秒以内にＱボタン５０１にタッチすれば、操作が受け付けられ、Ｑボタン５０１のタッチに応じてクイック設定画面に遷移することができる。尚且つ、誤操作により誤ってタッチされた場合にも、オートパワーオフ及びオートディスプレイオフの延長時間を必要最小限に抑えているので、電力の無駄な消費を抑止することができる。
【００４４】
Ｓ３０９では、システム制御部５０は、タッチパネル７０ａ以外の操作部７０に対する操作（部材操作）が行われたかどうかを判定する。部材操作が行われたと判定した場合はＳ３１０に進む。操作が行われていない場合は、Ｓ３１３に進む。
【００４５】
Ｓ３１０では、システム制御部５０は、Ｓ３０９で判定された部材操作が、クイック設定画面へ遷移するための操作かどうかを判定する。具体的には、システム制御部５０は、操作部７０に含まれるクイック設定ボタンが押下されたか否かを判定する。クイック設定画面に遷移するための操作があったと判定した場合（クイック設定ボタンが押下された場合）にはＳ３１１に進み、そうでない場合は、Ｓ３１２に進む。
【００４６】
Ｓ３１１では、システム制御部５０は、クイック設定画面を表示し、クイック設定画面処理を行う。なお、クイック設定画面の詳細については別途図４を参照して説明する。
【００４７】
Ｓ３１２では、システム制御部５０は、Ｓ３１０で判定した操作に応じた処理を行う。例えば、操作部７０に含まれるメイン電子ダイヤル７１が操作された場合、シャッター速度優先撮影モードであればシャッター速度を、絞り優先撮影モードであれば絞りの設定値を変更する。また、再生ボタン７９が押下された場合は、再生モードに移行する。再生モードに移行する場合は撮影待機画面処理を終了し、画像を再生表示して再生モードの処理に移行する。また、Ｓ３１２では、システム制御部５０は、オートパワーオフまでの時間、及びオートディスプレイオフまでの時間を計るためのタイマーをリセットして再スタートする。これにより、オートパワーオフまでの時間、及びオートディスプレイオフまでの時間が、Ｓ３１０で受け付けた操作からの無操作時間に延長される。
【００４８】
Ｓ３１３では、システム制御部５０は、撮影待機画面処理の終了操作が行われたか否かを判定する。例えば、電源をオフする操作があったかを判定する。終了操作が行われていれば撮影待機画面処理の一連の動作を終了する。一方、終了操作が行われていなければ、Ｓ３０２に再び処理を戻す。
【００４９】
（クイック設定画面処理に係る一連の動作）
以下、図４を参照してＳ３１１のクイック設定画面処理について動作手順を説明する。この処理は、不揮発性メモリ５６に記録されたプログラムをシステムメモリ５２に展開してシステム制御部５０が実行することで実現する。
【００５０】
図４は本実施形態において、クイック設定画面を表示し、撮影設定が完了するまでの一例を示すフローチャートである。
【００５１】
Ｓ４０１では、システム制御部５０は、システムメモリ５２に記憶されているオートディスプレイオフ時間及びオートパワーオフ時間を取得する。Ｓ４０２では、システム制御部５０は、オートディスプレイオフ／オートパワーオフまでの時間として計時していたタイマーをリセットし、オートディスプレイオフ時間／オートパワーオフ時間の計時を再度開始する。これにより、オートディスプレイオフ／オートパワーオフまでの時間が延長される。
【００５２】
Ｓ４０３では、システム制御部５０は、表示部２８にクイック設定画面を表示する。図５（ｃ）に本実施形態におけるクイック設定画面の一例を示す。クイック設定画面は、前述の撮影待機画面と画面構成は殆ど同一であり、各種設定項目が撮影待機画面と同じ配列で表示される。ただし、撮影待機画面で制限されていたタッチ操作の制限が解除され、タッチ操作が表示部２８の全面で有効となる。すなわち、システム制御部５０は、設定内容を表示していた各種設定項目をタッチアイコンとして能動化し、タッチ操作を受け付け可能な状態にする。撮影待機画面とは異なり、クイック設定画面では、各種設定項目に対するタッチ操作を受け付け可能な状態となったことを示すために、各設定項目のタッチ受付範囲を示す境界線を表示し、タッチボタンであることがわかる表示形態とする。例えば、露出補正の設定項目５２２を囲む境界線を表示する。ユーザはこの境界線の内側をタッチすることにより、露出補正の設定画面に遷移し、露出補正値の設定を変更することができる。また、クイック設定画面が撮影待機画面と異なる表示として、撮影待機画面でＱボタン５０１が表示されていた位置には、Ｑボタン５０１に代えて、撮影待機画面に戻るための戻るボタン５２１が表示される。また、クイック設定画面に表示された各種設定項目は、操作部７０に含まれる十字キー７４でいずれか１つを選択することもできる。ユーザにより選択された項目には選択枠が表示され、ガイド５２３の位置に選択された項目の内容が表示される。メイン電子ダイヤル７１が操作されると、選択された項目の設定値が変更される。例えば、図５（ｃ）の状態でメイン電子ダイヤル７１が操作されると、露出補正値が変更される。
【００５３】
Ｓ４０４では、システム制御部５０は、操作部７０の操作指示などにより撮影設定変更操作が行われたか否かを判定する。撮影設定変更操作とは、メイン電子ダイヤル７１の操作、あるいは、クイック設定画面に表示された各種設定項目に対するタッチ操作である。システム制御部５０は、操作部７０からの入力に基づき撮影設定変更操作が行われたと判定した場合Ｓ４０５に進む。一方、撮影設定変更操作が行われていないと判定した場合、Ｓ４０６に進む。
【００５４】
Ｓ４０５では、システム制御部５０は、撮影設定変更操作に応じて撮影設定を変更する。オートディスプレイオフ／オートパワーオフまでの時間として計時していたタイマーをリセットし、オートディスプレイオフ時間／オートパワーオフ時間の計時を再度開始する。これにより、オートディスプレイオフ／オートパワーオフまでの時間が延長される。
【００５５】
Ｓ４０６では、システム制御部５０は、操作部７０の操作指示などによりクイック設定画面の終了操作が行われたかどうかを判定する。クイック設定画面の終了操作とは、例えば戻るボタン５２１に対するタッチ操作である。クイック設定画面の終了操作が行われていれば、オートディスプレイオフ／オートパワーオフまでの時間として計時していたタイマーをリセットし、オートディスプレイオフ時間／オートパワーオフ時間の計時を再度開始する。また、クイック設定画面を終了し、図３の撮影待機画面のＳ３０１に戻る。一方、終了操作が行われていなければ、Ｓ４０４に進む。
【００５６】
このような実施形態によれば、タッチ操作が全画面ではなく、Ｑボタンのような特定の領域のみで受け付け可能な画面において、タッチ操作を受け付け可能な領域以外の領域にタッチ操作が行われた場合に、タッチ操作を受け付け可能な領域を示す表示を行う。このようにすることで、ユーザは、自分が行ったタッチ操作が受け付けられていない（意図した動作が行われていない）ことを認識できるとともに、どのようにすればタッチ操作が受け付けられるのかを認識することができる。特に、本実施形態のように、タッチ操作の制限された状態を解除するためのタッチ操作を行う位置を示す表示を行うことで、ユーザがタッチ操作の制限状態を解除する方法がわからずにタッチ操作が行えなくなってしまうことを防止することができる。すなわち、ユーザは、迷いなくタッチ操作の制限状態を解除してタッチによる操作を行える状態にすることができる。
【００５７】
なお、システム制御部５０が行うものとして説明した上述の各種制御は、１つのハードウェアが行ってもよいし、複数のハードウェアが処理を分担することで、機器全体の制御を行ってもよい。
【００５８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５９】
また、上述した実施形態においては、本発明をデジタルカメラ１００に適用した場合を例にして説明したが、これはこの例に限定されずタッチ操作の可能な操作手段を有する電子機器であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、時計型を含むウェアラブル端末、ディスプレイを備える投影装置や家電装置、車載装置、自動販売機等のショッピング用装置、ディスプレイを備える医療機器（検査機器や診断装置）などに適用可能である。
【００６０】
例えば、スマートフォンなどの電子機器において、所定時間以上にわたり無操作であった後にタッチ操作を制限したロック状態となった場合に、ロック状態を解除する場面に適用可能である。図６（ａ）、（ｂ）を用いて、この場面への適用について説明する。スマートフォン６００には、表示部６２８とタッチパネル６７０ａが一体的に設けられているものとする。所定時間以上にわたって無操作であったことにより、オートディスプレイオフやオートパワーオフされて表示部６２８が非表示の状態となった後、操作部６７０を操作することで、図６（ａ）に示すように、表示部６２８にロック解除画面が表示される。すなわち、省電状態からの復帰時に表示部６２８にロック解除画面が表示される。例えば、ユーザがロック解除画面に表示されたロック解除ボタン６０１にタッチダウンし、そのまま下方向にタッチムーブを行って、ロックを解除し、タッチパネル６７０ａ全面に対するタッチを有効とする。また、タッチパネル６７０ａ全面に対するタッチを有効としたとき、ホーム画面などの表示状態に移行するものとする。このロック解除画面において、ユーザが、ロック解除ボタン６０１を操作しなければロックを解除することができないことを知らない場合、ロック解除ボタン６０１とは異なる位置をタッチするかもしれない。本発明によれば、ユーザがロック解除ボタン６０１以外の位置をタッチした場合、図６（ｂ）に示すように、ロック解除ボタン６０１を操作することを促すガイダンス６１０を表示する。図示の例では、ガイダンス６１０に、「ロック解除アイコンを下にドラッグしてロック解除してください」というメッセージが表示される。また、ロック解除ボタン６０１が強調表示される。強調表示の手法は、Ｑボタン５０１の例で説明したように、様々な手法であってよい。また、この場合のオートディスプレイオフ、オートパワーオフの計時等の扱いは、デジタルカメラ１００を用いて説明した前述の例と同様である。
【００６１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６２】
１００  デジタルカメラ、２２  撮像部、２３  Ａ／Ｄ変換機、２４  画像処理部、２８  表示部、５０  システム制御部、７０  操作部、２００  記録媒体
【図１】
0006727036.tif 000002
【図２】
0006727036.tif 000003
【図３】
0006727036.tif 000004
【図４】
0006727036.tif 000005
【図５】
0006727036.tif 000006
【図６】
0006727036.tif 000007